(57)【要約】【課題】表示装置へ強い光が当たる場合や、角度のない位置から表示装置を見る場合等の外的要因の影響を受ける場合における文字の視認性、画像の視認性を判断可能とすることを目的とする。【解決手段】色変更部３は、入力画像情報に含まれる画素の色に外的要因に応じた変更を加えることにより、外的要因を受けた場合に実際にユーザの目に映る色の画像情報を生成する。事前確認用画像表示部４は、色変更部３が生成した画像情報を事前確認用画像として表示装置に表示する。【選択図】図１
2010039657.tif 000002
【特許請求の範囲】
【請求項１】
入力画像情報に含まれる画素の色に処理装置により所定の変更を加えて変更後画像情報を生成する色変更部と、
上記色変更部が生成した変更後画像情報を事前確認用画像として表示装置に表示する事前確認用画像表示部と
を備えることを特徴とする画像情報確認装置。
【請求項２】
上記事前確認用画像表示部は、上記入力画像情報と上記変更後画像情報との両方を事前確認用画像として表示する
ことを特徴とする請求項１に記載の画像情報確認装置。
【請求項３】
上記画像情報確認装置は、さらに、
複数の色の各色について、その色で所定の背景色に対して文字を表示した場合の視認性に関する指標値を処理装置により計算する文字色指標値計算部と、
上記文字色指標値計算部が計算した指標値に基づき、上記複数の色から文字を表示するときに使用する文字色を処理装置により決定する文字色決定部と、
上記文字色決定部が決定した文字色で、上記所定の背景色に文字を表示した画像を入力画像情報として入力する入力画像情報入力部とを備え、
上記色変更部は、上記入力画像情報入力部が入力した入力画像情報から変更後画像情報を生成する
ことを特徴とする請求項１又は２に記載の画像情報確認装置。
【請求項４】
上記文字色指標値計算部は、上記複数の色の各色について、その色に所定の変更を加えた変更後色で、上記所定の背景色に所定の変更を加えた変更後背景色に対して文字を表示した場合の視認性に関する指標値を計算し、
上記文字色決定部は、変更後色で変更後背景色に対して文字を表示した場合の視認性に関する指標値に基づき、上記複数の色から使用する文字色を決定する
ことを特徴とする請求項３に記載の画像情報確認装置。
【請求項５】
上記文字色決定部は、上記複数の色から指標値が所定の閾値以上の複数の候補文字色を抽出して、抽出した候補文字色を指標値の順に表示装置に表示するとともに、表示した複数の候補文字色から使用する文字色を入力装置を介して選択させて、使用する文字色を決定する
ことを特徴とする請求項３又は４に記載の画像情報確認装置。
【請求項６】
上記文字色指標値計算部は、さらに、上記文字色決定部が決定した文字色を除く上記複数の色の各色について、その色で上記所定の背景色に対して文字を表示した場合の視認性に関する指標値と、その色と上記文字色決定部が決定した文字色との間の視認性に関する指標値との２つの指標値を計算し、
上記文字色決定部は、上記文字色指標値計算部が計算した２つの指標値に基づき、上記文字色決定部が決定した文字色を除く上記複数の色から第２の文字色を決定する
ことを特徴とする請求項３から５までのいずれかに記載の画像情報確認装置。
【請求項７】
上記文字色決定部は、上記文字色指標値計算部が計算した２つの指標値に基づき複数の第２の候補文字色を抽出して、抽出した第２の候補文字色を上記２つの指標値それぞれの順位とともに表示装置に表示するとともに、表示した複数の第２の候補文字色から使用する第２の文字色を入力装置を介して選択させて、使用する第２の文字色を決定する
ことを特徴とする請求項６に記載の画像情報確認装置。
【請求項８】
上記画像情報確認装置は、さらに、
複数の色の各色について、その色を背景色とした画像を所定の画像に隣接させて並べた場合の視認性に関する指標値を処理装置により計算する背景色指標値計算部と、
上記背景色指標値計算部が計算した指標値に基づき、処理装置により上記複数の色から背景色を決定する背景色決定部とを備え、
上記文字色指標値計算部は、上記背景色決定部が決定した背景色に対して文字を表示した場合の視認性に関する指標値を計算する
ことを特徴とする請求項３から７までのいずれかに記載の画像情報確認装置。
【請求項９】
入力画像情報に含まれる画素の色に処理装置により所定の変更を加えて変更後画像情報を生成する色変更処理と、
上記色変更処理で生成した変更後画像情報を事前確認用画像として表示装置に表示する事前確認用画像表示処理と
をコンピュータに実行させることを特徴とする画像情報確認プログラム。
【請求項１０】
複数の色の各色について、その色に所定の変更を加えた変更後色で、所定の背景色に所定の変更を加えた変更後背景色に対して文字を表示した場合の視認性に関する指標値を処理装置により計算する文字色指標値計算部と、
変更後色で変更後背景色に対して文字を表示した場合の視認性に関する指標値に基づき、上記複数の色から使用する文字色を処理装置により決定する文字色決定部と
を備えることを特徴とする文字色決定装置。
【請求項１１】
複数の色の各色について、その色を背景色とした画像を所定の画像に隣接させて並べた場合の視認性に関する指標値を処理装置により計算する背景色指標値計算部と、
上記背景色指標値計算部が計算した指標値に基づき、処理装置により上記複数の色から背景色を決定する背景色決定部と、
複数の色の各色について、その色で上記背景色決定部が決定した背景色に対して文字を表示した場合の視認性に関する指標値を処理装置により計算する文字色指標値計算部と、
上記文字色指標値計算部が計算した指標値に基づき、処理装置により上記複数の色から文字を表示することに使用する文字色を決定する文字色決定部と
を備えることを特徴とする文字色決定装置。
【発明の詳細な説明】
【技術分野】
【０００１】
本発明は、例えば、画像を生成する際に使用する文字や背景の色を決定するための技術に関する。
【背景技術】
【０００２】
特許文献１には、背景と文字との明度、色相、彩度に基づき、背景に対する文字の可読性を判定する技術についての記載がある。また、特許文献１では、指定された背景色に対して可読性の高い色を判断することにより、推薦する文字色の候補を挙げる技術についての記載がある。
【特許文献１】特開２００２−１９７４０３号公報
【発明の開示】
【発明が解決しようとする課題】
【０００３】
しかし、特許文献１においては、文字の視認性（可読性）に対して外的要因が与える影響についての記載はない。外的要因とは、例えば、表示装置への光の当たり方や、ユーザが表示装置を見る角度等である。
表示装置へ光が強く当たった場合、表示装置に表示された画像は、実際に表示されているよりもユーザの目には明るく映る。また、表示装置を横から見た場合（つまり、角度のない位置から表示装置を見た場合）、表示装置に表示された画像は、実際に表示されているよりもユーザの目には暗く映る。
つまり、表示装置への光の当たり方や、ユーザが表示装置を見る角度等による影響がなければ可読性の高い色の組合せであっても、表示装置への光の当たり方や、ユーザが表示装置を見る角度等による影響がある場合には可読性が低くなる場合がある。すなわち、外的要因を考慮しない場合には可読性の高い色の組合せであっても、外的要因を考慮すると可読性が低くなってしまう場合がある。
この発明は、例えば、外的要因を考慮した文字の視認性、画像の視認性を判断可能とすることを目的とする。
【課題を解決するための手段】
【０００４】
本発明に係る画像情報確認装置は、例えば、入力画像情報に含まれる画素の色に処理装置により所定の変更を加えて変更後画像情報を生成する色変更部と、
上記色変更部が生成した変更後画像情報を事前確認用画像として表示装置に表示する事前確認用画像表示部と
を備えることを特徴とする。
【発明の効果】
【０００５】
この発明に係る画像情報確認装置によれば、画像情報に含まれる画素の色を変化させることにより、外的要因により影響を受けた場合にユーザの目に映る画像情報を事前に確認することができる。そのため、外的要因を考慮した文字の可読性、画像の視認性を事前に判断することができる。
【発明を実施するための最良の形態】
【０００６】
実施の形態１．
この実施の形態では、外的要因により影響を受けた場合にユーザの目に映る画像情報を事前確認用画像として表示装置に表示する方法について説明する。
【０００７】
例えば、施設内に設置された複数の表示装置に案内情報等の画像情報を表示させる場合に、その画像情報の作成者は、事前にその画像情報がどのように見えるか（見え方）を作成者のＰＣ（Ｐｅｒｓｏｎａｌ  Ｃｏｍｐｕｔｅｒ）の表示装置等に表示させ確認する。ＰＣ等で確認した見え方に問題がなければ、施設内に設置された複数の表示装置に表示させる。
施設内に設置された複数の表示装置の中には、光が強く当たる場所に置かれている表示装置や、ユーザに横から見られることが多い表示装置が存在する場合がある。つまり、外的要因の影響により表示装置によっては、作成者が確認した見え方とは異なる見え方でユーザの目に映る場合がある。例えば、表示装置によっては、光が強く当たってしまい画像情報に含まれる文字を読めない状態となってしまう虞がある。
そこで、この実施の形態に係る画像情報確認装置１では、事前確認用の表示装置に、外的要因の影響を受けた場合の見え方で画像情報を表示する。つまり、作成者が事前に外的要因の影響を受けた場合の見え方を確認可能とする。
【０００８】
上記のような外的要因の影響を受けると、外的要因の影響を受けない場合と比べ、表示される画像情報の色が変化してユーザの目に映る。例えば、表示装置への光が強く当たった場合、実際に表示されているよりもユーザの目には明るく（輝度が高く）映り、表示装置を横から見た場合、実際に表示されているよりもユーザの目には暗く（輝度が低く）映る。
そこで、画像情報確認装置１は、入力された画像情報（入力画像情報）の色を外的要因を受けた場合の色に変更した画像情報を生成して、生成した画像情報を事前確認用画像として表示装置に表示する。
【０００９】
図１は、この実施の形態に係る画像情報確認装置１の機能を示す機能ブロック図である。
画像情報確認装置１は、入力画像情報入力部２、色変更部３、事前確認用画像表示部４を備える。
【００１０】
入力画像情報入力部２は、表示装置に表示させる画像情報（入力画像情報）を入力して記憶装置に記憶する。
【００１１】
色変更部３は、入力画像情報入力部２が入力した入力画像情報に含まれる画素の色に所定の変更を加えて変更後画像情報を処理装置により生成する。
色変更部３は、例えば、入力画像情報に含まれる全ての画素に同一の変更を加えて変更後画像情報を生成する。例えば、各画素の輝度値に所定の値を加える（引く）変更（オフセット補正）をしてもよいし、各画素の輝度値を所定倍する変更（ゲイン補正）をしてもよい。
特に、色変更部３は、外的要因に応じて変更を行う。例えば、表示装置への光が強く当たる表示装置での見え方を確認する場合には、各画素の輝度値が高くなるように各画素の輝度値に所定の値を加える。また、光の強さに応じて、加える値を増減させる。一方、表示装置を横から見る可能性の高い場合には、各画素の輝度値が低くなるように各画素の輝度値から所定の値を引く。また、見る角度に応じて、引く値を増減させる。これらの外的要因を示す情報は、各表示装置から収集するとしてもよい。例えば、各表示装置に光度計を設置しておき、その光度計により計測された情報を外的要因を示す情報として収集してもよい。
また、色変更部３は、表示装置毎に変更後画像情報を生成してもよい。
【００１２】
事前確認用画像表示部４は、色変更部３が生成した変更後画像情報を事前確認用画像として事前確認用の表示装置に表示する。
図２は、事前確認用画像表示部４が表示する事前確認用画像のイメージ図である。
図２に示すように、事前確認用画像表示部４は、例えば、（ａ）外的要因を考慮しない通常の場合と、（ｂ）外的要因により見づらい状態となった場合との２つの画像情報を並べて表示する。なお、ここでは、（ｂ）見づらい場合については、斜字体で表示している。
【００１３】
以上のように、この実施の形態に係る画像情報確認装置１によれば、外的要因の影響を受けた場合にユーザの目に映る画像情報を生成して、事前確認用画像として表示する。そのため、予め外的要因の影響を受けた場合にユーザの目に映る画像情報を確認することができ、外的要因の影響により文字が読めないなどの状態の発生を防止できる。
【００１４】
実施の形態２．
この実施の形態では、背景色が決まっている場合に、外的要因の影響を受ける場合であっても視認し易い文字色を決定する方法について説明する。
ここでは、複数の色の各色について、その色と背景色との明度差、色相差、彩度差を指標値として計算し、指標値に基づき指定された背景色に対して視認し易い色を文字色に決定する。
【００１５】
図３は、この実施の形態に係る画像情報確認装置１（文字色決定装置）の機能を示す機能ブロック図である。画像情報確認装置１は、背景色に対して視認し易い文字色を決定するとともに、決定した文字色により所定の文字を背景色の上に表示した画像情報を事前確認用画像として表示する。
画像情報確認装置１は、実施の形態１に係る画像情報確認装置１に備えられた構成に加え、背景色決定部５、文字色指標値計算部６、文字色決定部７を備える。
【００１６】
背景色決定部５は、予め定められた背景色や入力装置を介してユーザから指定された色を背景色に決定する。
【００１７】
文字色指標値計算部６は、予め定められた複数の色の各色について、その色で所定の背景色に対して文字を表示した場合の視認性に関する指標値（明度差、色相差、彩度差）を処理装置により計算する。
なお、予め定められた複数の色とは、例えば、ＷＥＢセーフカラーであってもよいし、ＷＥＢセーフカラーよりも多くの色が指定されていても、少ない色が指定されていてもよい。
【００１８】
文字色決定部７は、文字色指標値計算部６が計算した指標値に基づき、処理装置により上記複数の色から文字を表示するときに使用する文字色を決定する。
文字色指標値計算部６による指標値の計算と、文字色決定部７による文字色の決定との詳細については、以下に例を示して説明する。
【００１９】
入力画像情報入力部２は、背景色決定部５が決定した背景色に、文字色決定部７が決定した文字色で、所定の文字を表示した画像情報を処理装置により生成して、生成した画像情報を入力画像情報とする。
そして、実施の形態１と同様に、色変更部３は、入力画像情報入力部２が入力した入力画像情報から変更後画像情報を生成し、事前確認用画像表示部４は、色変更部３が生成した変更後画像情報を事前確認用画像として表示装置に表示する。
【００２０】
図４から図１０までに基づき、画像情報確認装置１の動作を説明する。
図４は、画像情報確認装置１が文字色を決定する動作を示すフローチャートである。
図５から図９までは、文字色を決定する例を説明するための図である。図５は、背景色と予め指定された候補色との指標値を示す図である。図６は、背景色と各候補色との明度差を示す図である。図７は、背景色と各候補色との色相差を示す図である。図８は、背景色と各候補色との彩度差を示す図である。図９は、絞込みの結果を示す図である。
図１０は、事前確認用画像の表示の説明図である。
【００２１】
＜Ｓ１０１：背景色決定ステップ＞
背景色決定部５は、背景色を決定する。例えば、選択可能な色を表示したパレットから背景色を選択させるようにしてもよい。
ここでは、背景色決定部５は、緑を背景色として選択したとする。
＜Ｓ１０２：指標値計算ステップ＞
文字色指標値計算部６は、（Ｓ１０１）で指定された背景色に対して、予め定められた各色との明度差、色相差、彩度差を計算する。
ここでは、図５に示す７色を候補色として予め定めてあるものとする。そして、図５に示すように、文字色指標値計算部６は、背景色である緑と候補色７色とのそれぞれについて明度、色相、彩度を計算する。そして、背景色と候補色との明度差、色相差、彩度差を計算する。
＜Ｓ１０３：候補色絞込みステップ＞
文字色決定部７は、（Ｓ１０２）で計算した明度差、色相差、彩度差に基づき、候補色を絞り込みする。
ここでは、各候補色の背景色に対する明度差、色相差、彩度差に基づき、次のように候補色を絞り込みする。
（１）図６に示すように、文字色決定部７は、背景色と各候補色との明度差が閾値以下の候補色を対象外とする。図６においては、閾値を０．１５としたため、明度差が０．１５に満たない赤と紫とが対象外となる。
（２）図７に示すように、文字色決定部７は、（１）で対象外とした赤と紫とを除く残りの５つの各候補色について、背景色との色相差が閾値を超えた候補色を対象とする。図７においては、閾値を９０としたため、色相差が９０に満たない黒と水色と黄色とが外され、青とピンクとが対象となる。
（３）図８に示すように、文字色決定部７は、（２）で外された黒と水色と黄色とについて、背景色との彩度差が閾値を超えた候補色を対象とする。図８においては、閾値を０．５としたため、彩度差が０．５に満たない黄色が外され、黒と水色とが対象となる。（３）の処理では、（２）の色相差にする絞込みで候補から外れた色を対象としている。無彩色（白、黒、灰色に属する色）は、色相を持たないため、対無彩色との色相差は０と算出される。そのため（３）の処理では、色相差で対象外となった色でも、彩度差により候補となりうるかを再度確認している。
そして、図９に示すように、（２）（３）で対象とした青、黒、水色、ピンクが文字色の候補として残る。文字色決定部７は、候補として残った各色について、その色の明度差、色相差、彩度差から得点を計算して、順位付けする。ここでは、「得点＝（明度差×１０）＋（色相差／６０）＋（彩度差）」として計算した。その結果、順位は、水色、ピンク、黒、青の順となる。この得点の計算では、色相差と彩度差とに比べ、明度差に重みをおいた。
つまり、文字色決定部７は、背景色が緑である場合に、候補色の中で青、黒、水色、ピンクには識別力（可読性）があると認められ、特に、識別力の高さは、水色、ピンク、黒、青の順であると判定する。
＜Ｓ１０４：確認画面表示ステップ＞
入力画像情報入力部２は、（Ｓ１０１）で決定した背景色に、（Ｓ１０３）で抽出した文字色からユーザにより選択された色で所定の文字を表示した画像を入力画像情報とする。そして、色変更部３は変更後画像情報を生成して、事前確認用画像表示部４が変更用画像情報を事前確認用画像として表示装置に表示する。表示された事前確認用画像に基づき、ユーザに入力装置により抽出された色から使用する文字色を決定させる。
ここでは、青、黒、水色、ピンクの複数の色が候補として残っている。そのため、図１０に示すように、候補として残った色をパレット表示して、ユーザに選択させる。入力画像情報入力部２はユーザが選択した色で文字を表示した画像を入力画像情報として、色変更部３が変更後画像情報を生成し、事前確認用画像表示部４が事前確認用画像として表示する。つまり、ユーザが色の選択を変更すると、（ａ）通常の場合と（ｂ）見づらい場合との両方の文字の色に変更が反映される。特に、選択可能な色を、得点の高い順に並べることにより、ユーザが視認性の高い色を容易に選択できるようになり、ユーザの利便性が高くなる。ユーザは、事前確認用画像を参照して実際に使用する色を決定する。特に、実施の形態１で説明したように、ユーザは外的要因の影響を考慮した事前確認用画像を参照して実際に使用する色を決定できる。
【００２２】
上記説明では、実際に使用する色（候補色）について、実際に使用する背景色との明度差、色相差、彩度差を計算して絞込みを行った。しかし、外的要因の影響を考慮して使用する文字色を決定することを重視する場合には、外的要因の影響を考慮した上で絞込みを行うとしてもよい。
図１１は、外的要因の影響を考慮した上で文字色の絞込みを行う場合の画像情報確認装置１の動作を示すフローチャートである。
＜Ｓ２０１：背景色決定ステップ＞
背景色決定部５は、（Ｓ１０１）と同様に、背景色を決定する。
＜Ｓ２０２：色変更ステップ＞
色変更部３は、背景色について実施の形態１で説明したような輝度への変更を加えた変更後背景色と、各候補色について実施の形態１で説明したような輝度への変更を加えた変更後色（変更後文字色）とを生成する。
＜Ｓ２０３：指標値計算ステップ＞
文字色指標値計算部６は、変更後背景色と各変更後色との明度差、色相差、彩度差を計算する。
＜Ｓ２０４：候補色絞込みステップ＞
文字色決定部７は、（Ｓ２０３）で計算した明度差、色相差、彩度差に基づき、上記説明と同一の方法で絞込みする。
つまり、文字色決定部７は、外的要因を考慮した指標値に基づき、背景色に対して識別力（可読性）があると認められる候補色を抽出する。特に、文字色決定部７は、外的要因を考慮した場合の識別力の高さの順位を判定する。
＜Ｓ２０５：確認画面表示ステップ＞
入力画像情報入力部２は、（Ｓ２０１）で決定した背景色に、（Ｓ２０４）で抽出した文字色からユーザにより選択された色で所定の文字を表示した画像を入力画像情報とする。そして、色変更部３は変更後画像情報を生成して、事前確認用画像表示部４が変更用画像情報を事前確認用画像として表示装置に表示する。表示された事前確認用画像に基づき、ユーザに入力装置により抽出された色から使用する文字色を決定させる。
【００２３】
また、上記説明では、（１）（２）（３）の順に候補色の絞込みを行った。つまり、（１）明度差により絞込みをし、（２）明度差により絞込みされた色について色相差により候補を抽出し、（３）明度差により絞込みされた色であって色相差により候補から外れた色について、彩度差により候補を抽出した。そして、（２）（３）で候補として抽出された色について得点を計算して順位付けした。
しかし、候補色の絞込みはこの方法に限らない。例えば、上記説明では絞込みされた候補色のみに対して計算していた得点を、全ての候補色に対して計算して、得点の高い所定の数の色だけ、あるいは得点が所定の値以上の色だけを候補色として残すとしてもよい。
【００２４】
また、上記説明における閾値は一例であり、これに限定するものではない。閾値は、表示する内容によって変更するとしてもよい。つまり、目立たせる必要のある情報を表示する場合には閾値を高くして可読性の高い色のみを抽出してもよいし、目立たせる必要のない情報を表示する場合には閾値を低くして可読性の低い色も抽出してもよい。
この実施の形態では、明度差に重み付けを設定したが、明度差、色相差、彩度差それぞれにどのような重み付けを付けるかは、適宜、文字色決定部７が設定することができる。
【００２５】
以上のように、この実施の形態に係る画像情報確認装置１によれば、外的要因の影響を受ける場合に視認し易い文字色を決定することができる。
【００２６】
実施の形態３．
実施の形態２では、外的要因の影響を受ける場合に、指定された背景色に対して、視認性の高い１つの文字色を選択する方法について説明した。この実施の形態では、２つ以上の文字色を選択する方法について説明する。
【００２７】
例えば、案内情報を表示する場合に、目立たせたい文字（情報）がある場合がある。その場合、目立たせたい文字だけを、他の文字と異なる色で表示することがある。ここでは、目立たせたい文字の色と、他の文字の色との２色を選択する方法について説明する。
以下の説明において、目立たせたい文字を強調文字、他の文字を通常文字と呼ぶ。
【００２８】
実施の形態２で説明した方法により抽出された候補色の組合せを選択肢として表示し、ユーザに指定させ、指定された色を事前確認用画像に反映して確認させる方法について説明する。
図１２は、複数色の組合せを選択肢とした場合の事前確認用画像の表示の説明図である。図１２に示すように、つまり、１をユーザが選択した場合、強調文字を水色にして、通常文字をピンク色にする。実施の形態２と同様に、（ａ）通常の場合と（ｂ）見づらい場合との両方の文字の色に反映する。
この時、図１２に示すように、選択肢として表示させる候補色の組合せは、まず、強調文字側の色を得点の上位の色から順に並べ、次に強調文字の各色について、通常文字側に他の色を得点の上位の色から順に並べる。つまり、まず、強調文字側に得点順位１位の水色を並べ、強調文字水色に対して、通常文字側に水色以外の色を順位の高い順にピンク、黒、青と並べる。次に、強調文字側に得点順位２位のピンクを並べ、強調文字ピンクに対して、通常文字側にピンク以外の色を順位の高い順に水色、黒、青と並べる。次に、強調文字側に得点順位３位の黒を並べ、強調文字黒に対して、通常文字側に黒以外の色を順位の高い順に水色、ピンク、青と並べる。そして、強調文字側に得点順位４位の青を並べ、強調文字青に対して、通常文字側に青以外の色を順位の高い順に水色、ピンク、黒と並べる。ユーザは強調文字を背景色に対して目立つ色にしたいと考えられるため、このように並べることによりユーザの利便性を高めることができる。
【００２９】
しかし、実施の形態２で説明した方法により抽出された色は、背景色に対して視認性の高い色であり、抽出された色の間で視認性が高いか否かは考慮されていない。つまり、抽出された色の中には同系色の色（上記例では、水色と青）も含まれている。強調文字の色と通常文字の色とが同系色であれば、通常文字に対して強調文字を目立たせることは難しい。
強調文字を目立たせるためには、強調文字の色が背景色に対して視認性の高い色であるだけでなく、強調文字の色が通常文字の色に対しても視認性の高い色である必要がある。つまり、選択する２つの色は、背景色に対して視認性が高いだけでなく、２つの色の間での視認性も高い必要がある。
【００３０】
図１３は、背景色に対して視認性が高いだけでなく、各色の間での視認性も高い２つ文字色を選択する処理を示すフローチャートである。図１４は、強調文字と通常文字との色を決定する場合における事前確認用画像の表示の説明図である。
＜Ｓ３０１：背景色決定ステップ＞
背景色決定部５は、（Ｓ１０１）と同様に、背景色を決定する。
＜Ｓ３０２：対背景色指標値計算ステップ＞
文字色指標値計算部６は、（Ｓ１０２）と同様に、（Ｓ３０１）で指定された背景色に対して、予め定められた各色との明度差、色相差、彩度差を計算する。
＜Ｓ３０３：第１の文字色候補色絞込みステップ＞
文字色決定部７は、（Ｓ１０３）と同様に、（Ｓ３０２）で計算した明度差、色相差、彩度差に基づき、候補色を絞り込みする。
＜Ｓ３０４：第１の文字色選択ステップ＞
図１４（１）に示すように、入力画像情報入力部２は、（Ｓ３０１）で決定した背景色に、（Ｓ３０３）で抽出した文字色からユーザにより選択された色で強調文字を表示した画像を入力画像情報とする。そして、色変更部３は変更後画像情報を生成して、事前確認用画像表示部４が変更用画像情報を事前確認用画像として表示装置に表示する。表示された事前確認用画像に基づき、ユーザに入力装置により抽出された色から第１の文字色を決定させる。第１の文字色が強調文字に使用する色である。ここでは、第１の文字色として水色を選択したとする。
＜Ｓ３０５：対第１の文字色指標値計算ステップ＞
文字色指標値計算部６は、（Ｓ３０４）で決定した第１の文字色に対して、第１の文字色を除く（Ｓ３０３）で抽出された色との明度差、色相差、彩度差を計算する。
ここでは、第１の文字色である水色に対して、ピンク、黒、青との明度差、色相差、彩度差を計算する。
＜Ｓ３０６：第２の文字色候補色絞込みステップ＞
文字色決定部７は、（Ｓ３０３）と同様に、（Ｓ３０５）で計算した明度差、色相差、彩度差に基づき、候補色を絞り込みする。なお、閾値は、（Ｓ３０３）の場合と変更してもよい。候補色の絞り込みは、次に示す第１の確認処理と、第２の確認処理とで行う。
ここでは、ピンクと黒とが第２の文字色の候補として残ったとする。つまり、水色と同系色の青は対象外となったとする。また、順位は、黒、ピンクの順であったとする。ここまでが、第１の文字色との間の視認性に関する指標値による確認処理となる（第２の確認処理）。
次に、背景色に対して文字を表示した場合の視認性に関する指標値の確認処理（第１の確認処理）を説明する。上述の処理で、水色に対して、黒、ピンクが視認性があることがわかったが、背景色に対する視認性は、Ｓ３０２の処理で算出した、強調文字の候補色（この例では水色）と、通常文字の候補色（この例では、黒、ピンク）との背景色に対する指標値とを比較し、通常文字の候補の中に、強調文字の候補の指標値より指標値が高い（視認性が高い（明度差、色相差、彩度差がある））ものがあれば、通常文字の候補色から外す。例として挙げた、黒、ピンクの指標値は、図９に示すように、水色の指標値より低いため、継続して、通常文字の候補色となる。
＜Ｓ３０７：第２の文字色選択ステップ＞
図１４（２）に示すように、入力画像情報入力部２は、（Ｓ３０１）で決定した背景色に、（Ｓ３０４）で決定した第１文字色で強調文字を表示し、（Ｓ３０６）で抽出した色からユーザにより選択された色で通常文字を表示した画像を入力画像情報とする。そして、色変更部３は変更後画像情報を生成して、事前確認用画像表示部４が変更用画像情報を事前確認用画像として表示装置に表示する。表示された事前確認用画像に基づき、ユーザに入力装置により抽出された色から第２の文字色を決定させる。
つまり、ここでは、背景色に対して文字を表示した場合の視認性に関する指標値と、第１の文字色との間の視認性に関する指標値との２つの指標値に基づき、第２の文字色を決定する。なお、背景色に対して文字を表示した場合の視認性に関する指標値の確認処理（第１の確認処理）のみで、第２の文字色を決定するように構成することもできる。
また、第２の文字色をユーザに選択させる場合に、各色を並べる順は２つの指標値から計算された総合順位に基づく順であってもよいし、いずれか一方の指標に基づき計算された順でもよい。なお、各指標値における順位がそれぞれ何位であるかを色と併記してもよい。
【００３１】
また、上記説明では、（Ｓ３０６）において、絞込みに使用する指標値は（Ｓ３０５）で計算した指標値だけを使用した。しかし、（Ｓ３０６）において、絞込みに使用する指標値として、（Ｓ３０２）と（Ｓ３０５）とで計算した２つの指標値を使用してもよい。例えば、２つの指標値から計算した得点により絞込みを行ってもよい。
【００３２】
以上のように、この実施の形態に係る画像情報確認装置１によれば、２つ以上の文字色を選択することができる。特に、選択する２つの色は、背景色に対して視認性が高いだけでなく、２つの色の間での視認性も高い文字色を選択することができる。
【００３３】
なお、以上の説明では、文字色を２色選択するとしたが、３色以上選択する場合であっても同様に行うことができる。
【００３４】
実施の形態４．
実施の形態２，３では、指定された背景色に対して視認性の高い文字色を決定する方法について説明した。この実施の形態では、文字色だけでなく、背景色についても決定する方法について説明する。
【００３５】
ここでは、空港における案内表示画像を例として説明する。図１５は、空港における案内表示画像を示す図である。
図１５に示すように、空港における案内表示画像には、会社名を表示するエリア（図１５においては「ＡＢＣ航空」と表示）と、座席クラスを表示するエリア（図１５においては「ファーストクラス」と表示）と、案内情報を表示するエリア（図１５においては「搭乗手続中」と表示）との３つのエリアがある。このうち、会社名を表示するエリアと座席クラスを表示するエリアとは、表示する画像が確定しているエリアである。一方、案内情報を表示するエリアは、案内したい情報によって表示内容を変更するエリアである。つまり、空港における案内表示画像は、指定された画像（確定画像）と、状況に応じて設定される画像（設定画像）とを備える。
ここで、設定画像は、表示する情報によっては、目立つように表示したい場合や、目立たせる必要のない場合がある。例えば、注意を喚起するような情報を表示する場合には、確定画像に対して設定画像を目立たせる必要がある。一方、特に重要でない情報であれば、確定画像との調和をとるため設定画像を目立たせなくないと考えられる。設定画像が目立つか目立たないかは、確定画像に対する設定画像の色の影響が強い。
そこで、確定画像の色に対する色の視認性の高さにより、設定画像の背景色を決定する。そして、決定した背景色に対する視認性の高さにより、使用する文字色を決定する。
【００３６】
図１６は、この実施の形態に係る画像情報確認装置１（文字色決定装置）の機能を示す機能ブロック図である。画像情報確認装置１は、背景色を決定して、決定した背景色に対して視認し易い文字色を決定するとともに、決定した文字色により所定の文字を決定した背景色に表示した画像情報を事前確認用画像として表示する。
画像情報確認装置１は、実施の形態１に係る画像情報確認装置１に備えられた構成に加え、背景色指標値計算部８を備える。
【００３７】
背景色指標値計算部８は、複数の色の各色について、その色を背景色とした画像を所定の画像に隣接させて並べた場合の視認性に関する指標値を処理装置により計算する。
【００３８】
背景色決定部５は、背景色指標値計算部８が計算した指標値に基づき、処理装置により上記複数の色から背景色を決定する。
【００３９】
図１７は、画像情報確認装置１が背景色と文字色とを決定する動作を示すフローチャートである。
＜Ｓ４０１：対隣接画像指標値計算ステップ＞
背景色指標値計算部８は、予め指定された複数の色の各色について、その色を背景色とした画像を所定の画像に隣接させて並べた場合の視認性に関する指標値を計算する。
つまり、図１５に示す空港における案内表示画像であれば、確定画像の色に対して、予め指定された複数の色の各色についての視認性に関する指標値を計算する。ここで、予め指定された複数の色は上記実施の形態と同様にＷＥＢセーフカラーなどである。また、指標値は明度差、色相差、彩度差である。また、確定画像の色（隣接する画像の色）とは、その画像の色の平均値（ＲＧＢの平均値）であってもよいし、生成する設定画像と確定画像との境界部分の色（境界部分の色の平均値）であってもよい。
＜Ｓ４０２：候補背景色絞込みステップ＞
背景色決定部５は、（Ｓ４０１）で計算した明度差、色相差、彩度差に基づき、候補背景色を絞り込みする。絞込みの方法については、文字色を決定する場合と同様である。
＜Ｓ４０３：確認画面表示ステップ＞
入力画像情報入力部２は、隣接する画像と、（Ｓ４０２）で抽出した候補背景色からユーザにより選択された色の画像とを並べた画像を入力画像情報とする。そして、色変更部３は変更後画像情報を生成して、事前確認用画像表示部４が変更用画像情報を事前確認用画像として表示装置に表示する。表示された事前確認用画像に基づき、ユーザに入力装置により抽出された候補背景色から使用する背景色を決定させる。
（Ｓ４０４）から（Ｓ４０６）までは、（Ｓ１０２）から（Ｓ１０４）までと同様である。つまり、（Ｓ４０３）で決定した背景色に対して、視認性の高い文字色を決定する。
【００４０】
なお、上記説明では、隣接する画像に対して、目立つ背景色を選択する場合について説明した。しかし、（Ｓ４０２）において、絞込みの基準を変更することで、隣接する画像に対して、目立たない背景色を選択することもできる。つまり、隣接する画像に対して、目立つ背景色を選択する場合に、明度差が閾値以下の候補色を対象外としているところを、明度差が閾値以上の候補色を対象外とすればよい。色相差、彩度差による絞込みも同様である。
【００４１】
以上のように、この実施の形態に係る画像情報確認装置１によれば、隣接する画像に対して、視認性の高い背景色を選択することができる。
【００４２】
次に、上記実施の形態における画像情報確認装置１のハードウェア構成について説明する。
図１８は、画像情報確認装置１（文字色決定装置）のハードウェア構成の一例を示す図である。
図１８に示すように、画像情報確認装置１は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、ＬＣＤ９０１（Ｌｉｑｕｉｄ  Ｃｒｙｓｔａｌ  Ｄｉｓｐｌａｙ）、キーボード９０２（Ｋ／Ｂ）、通信ボード９１５、磁気ディスク装置９２０と接続され、これらのハードウェアデバイスを制御する。磁気ディスク装置９２０の代わりに、光ディスク装置、メモリカード読み書き装置などの記憶装置でもよい。
【００４３】
ＲＯＭ９１３、磁気ディスク装置９２０は、不揮発性メモリの一例である。ＲＡＭ９１４は、揮発性メモリの一例である。ＲＯＭ９１３とＲＡＭ９１４と磁気ディスク装置９２０とは、記憶装置（メモリ）の一例である。また、キーボード９０２、通信ボード９１５は、入力装置の一例である。また、通信ボード９１５は、通信装置の一例である。さらに、ＬＣＤ９０１は、表示装置の一例である。
【００４４】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００４５】
プログラム群９２３には、上記の説明において「入力画像情報入力部２」、「色変更部３」、「事前確認用画像表示部４」、「背景色決定部５」、「文字色指標値計算部６」、「文字色決定部７」、「背景色指標値計算部８」等として説明した機能を実行するソフトウェアやプログラムやその他のプログラムが記憶されている。プログラムは、ＣＰＵ９１１により読み出され実行される。
ファイル群９２４には、上記の説明において「文字色」、「第１の文字色」、「第２の文字色」、「背景色」、「候補色」、「順位」等の情報やデータや信号値や変数値やパラメータが、「ファイル」や「データベース」の各項目として記憶される。「ファイル」や「データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
また、上記の説明におけるフローチャートの矢印の部分は主としてデータや信号の入出力を示し、データや信号値は、ＲＡＭ９１４のメモリ、その他光ディスク等の記録媒体に記録される。また、データや信号は、バス９１２や信号線やケーブルその他の伝送媒体によりオンライン伝送される。
【００４６】
また、上記の説明において「〜部」として説明するものは、「〜回路」、「〜装置」、「〜機器」、「〜手段」、「〜機能」であってもよく、また、「〜ステップ」、「〜手順」、「〜処理」であってもよい。また、「〜装置」として説明するものは、「〜回路」、「〜装置」、「〜機器」、「〜手段」、「〜機能」であってもよく、また、「〜ステップ」、「〜手順」、「〜処理」であってもよい。さらに、「〜処理」として説明するものは「〜ステップ」であっても構わない。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組合せ、さらには、ファームウェアとの組合せで実施されても構わない。ファームウェアとソフトウェアは、プログラムとして、ＲＯＭ９１３等の記録媒体に記憶される。プログラムはＣＰＵ９１１により読み出され、ＣＰＵ９１１により実行される。すなわち、プログラムは、上記で述べた「〜部」としてコンピュータ等を機能させるものである。あるいは、上記で述べた「〜部」の手順や方法をコンピュータ等に実行させるものである。
【図面の簡単な説明】
【００４７】
【図１】実施の形態１に係る画像情報確認装置１の機能を示す機能ブロック図。
【図２】事前確認用画像表示部４が表示する事前確認用画像のイメージ図。
【図３】実施の形態２に係る画像情報確認装置１の機能を示す機能ブロック図。
【図４】画像情報確認装置１が文字色を決定する動作を示すフローチャート。
【図５】背景色と予め指定された候補色との指標値を示す図。
【図６】背景色と各候補色との明度差を示す図。
【図７】背景色と各候補色との色相差を示す図。
【図８】背景色と各候補色との彩度差を示す図。
【図９】絞込みの結果を示す図。
【図１０】事前確認用画像の表示の説明図。
【図１１】外的要因の影響を考慮した上で文字色の絞込みを行う場合の画像情報確認装置１の動作を示すフローチャート。
【図１２】複数色の組合せを選択肢とした場合の事前確認用画像の表示の説明図。
【図１３】背景色に対して視認性が高いだけでなく、各色の間での視認性も高い２つ文字色を選択する処理を示すフローチャート。
【図１４】強調文字と通常文字との色を決定する場合における事前確認用画像の表示の説明図。
【図１５】空港における案内表示画像を示す図。
【図１６】実施の形態４に係る画像情報確認装置１（文字色決定装置）の機能を示す機能ブロック図。
【図１７】画像情報確認装置１が背景色と文字色とを決定する動作を示すフローチャート。
【図１８】画像情報確認装置１のハードウェア構成の一例を示す図。
【符号の説明】
【００４８】
１  画像情報確認装置、２  入力画像情報入力部、３  色変更部、４  事前確認用画像表示部、５  背景色決定部、６  文字色指標値計算部、７  文字色決定部、８  背景色指標値計算部。
【図１】
2010039657.tif 000003
【図２】
2010039657.tif 000004
【図３】
2010039657.tif 000005
【図４】
2010039657.tif 000006
【図５】
2010039657.tif 000007
【図６】
2010039657.tif 000008
【図７】
2010039657.tif 000009
【図８】
2010039657.tif 000010
【図９】
2010039657.tif 000011
【図１０】
2010039657.tif 000012
【図１１】
2010039657.tif 000013
【図１２】
2010039657.tif 000014
【図１３】
2010039657.tif 000015
【図１４】
2010039657.tif 000016
【図１５】
2010039657.tif 000017
【図１６】
2010039657.tif 000018
【図１７】
2010039657.tif 000019
【図１８】
2010039657.tif 000020
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
画像情報を表示装置に表示する画像情報確認装置において、
複数の色の各色について、その色で所定の背景色に対して文字を表示した場合の視認性に関する指標値を処理装置により計算する文字色指標値計算部と、
上記文字色指標値計算部が計算した指標値に基づき、上記所定の背景色に対して上記複数の色から文字を表示するときに使用する第１の文字色を処理装置により決定する文字色決定部とを備え、
上記文字色指標値計算部は、さらに、上記文字色決定部が決定した第１の文字色を除く上記複数の色の各色について、その色と上記文字色決定部が決定した第１の文字色との間の視認性に関する指標値を計算し、
上記文字色決定部は、上記文字色指標値計算部が計算した背景色に対して文字を表示した場合の視認性に関する指標値と、第１の文字色との間の視認性に関する指標値との２つの指標値に基づき、上記文字色決定部が決定した第１の文字色を除く上記複数の色から第２の文字色を決定し、
上記画像情報確認装置は、さらに、
上記文字色決定部が決定した第１の文字色と第２の文字色とで、上記所定の背景色に文字を表示した入力画像情報に含まれる画素の色に処理装置により所定の変更を加えて変更後画像情報を生成する色変更部と、
上記色変更部が生成した変更後画像情報を事前確認用画像として表示装置に表示する事前確認用画像表示部と
を備えることを特徴とする画像情報確認装置。
【請求項２】
上記事前確認用画像表示部は、上記入力画像情報と上記変更後画像情報との両方を事前確認用画像として表示する
ことを特徴とする請求項１に記載の画像情報確認装置。
【請求項３】
上記文字色指標値計算部は、上記複数の色の各色について、その色に所定の変更を加えた変更後色で、上記所定の背景色に所定の変更を加えた変更後背景色に対して文字を表示した場合の視認性に関する指標値を計算し、
上記文字色決定部は、変更後色で変更後背景色に対して文字を表示した場合の視認性に関する指標値に基づき、上記複数の色から使用する文字色を決定する
ことを特徴とする請求項１又は２に記載の画像情報確認装置。
【請求項４】
上記文字色決定部は、上記複数の色から指標値が所定の閾値以上の複数の候補文字色を抽出して、抽出した候補文字色を指標値の順に表示装置に表示するとともに、表示した複数の候補文字色から使用する第１の文字色を入力装置を介して選択させて、使用する第１の文字色を決定する
ことを特徴とする請求項１から３までのいずれかに記載の画像情報確認装置。
【請求項５】
上記文字色決定部は、上記文字色指標値計算部が計算した２つの指標値に基づき複数の第２の候補文字色を抽出して、抽出した第２の候補文字色を上記２つの指標値それぞれの順位とともに表示装置に表示するとともに、表示した複数の第２の候補文字色から使用する第２の文字色を入力装置を介して選択させて、使用する第２の文字色を決定する
ことを特徴とする請求項４に記載の画像情報確認装置。
【請求項６】
上記画像情報確認装置は、さらに、
複数の色の各色について、その色を背景色とした画像を所定の画像に隣接させて並べた場合の視認性に関する指標値を処理装置により計算する背景色指標値計算部と、
上記背景色指標値計算部が計算した指標値に基づき、処理装置により上記複数の色から背景色を決定する背景色決定部とを備え、
上記文字色指標値計算部は、上記背景色決定部が決定した背景色に対して文字を表示した場合の視認性に関する指標値を計算する
ことを特徴とする請求項１から５までのいずれかに記載の画像情報確認装置。
【請求項７】
画像情報を表示装置に表示する画像情報確認プログラムにおいて、
複数の色の各色について、その色で所定の背景色に対して文字を表示した場合の視認性に関する指標値を計算する文字色指標値計算処理と、
上記文字色指標値計算処理で計算した指標値に基づき、上記所定の背景色に対して上記複数の色から文字を表示するときに使用する第１の文字色を決定する文字色決定処理とをコンピュータに実行させ、
上記文字色指標値計算処理では、さらに、上記文字色決定処理で決定した第１の文字色を除く上記複数の色の各色について、その色と上記文字色決定処理で決定した第１の文字色との間の視認性に関する指標値を計算し、
上記文字色決定処理では、上記文字色指標値計算処理で計算した背景色に対して文字を表示した場合の視認性に関する指標値と、第１の文字色との間の視認性に関する指標値との２つの指標値に基づき、上記文字色決定処理で決定した第１の文字色を除く上記複数の色から第２の文字色を決定し、
上記画像情報確認プログラムは、さらに、
上記文字色決定処理で決定した第１の文字色と第２の文字色とで、上記所定の背景色に文字を表示した入力画像情報に含まれる画素の色に処理装置により所定の変更を加えて変更後画像情報を生成する色変更処理と、
上記色変更処理で生成した変更後画像情報を事前確認用画像として表示装置に表示する事前確認用画像表示処理と
をコンピュータに実行させることを特徴とする画像情報確認プログラム。